(57)【要約】【課題】通話相手先に対し、通話開始前に発信位置を通知し、移動体通信の利便性を向上させることにある。【解決手段】移動体装置、その移動位置通知システム（２）及びその移動位置通知方法でであって、携帯電話機等の移動体装置（端末装置４）側で移動位置を表す位置情報を取得し、移動体装置（端末装置４）がその通話相手先（端末装置８）に対する発呼を契機とし、前記位置情報を前記通話相手先に通知する。通話相手先では、通知された位置情報をディスプレイ等に表示し、移動情報を通知してきた移動体装置の位置を通話前に認識することができる。【選択図】図１
2009200614.tif 000002
【特許請求の範囲】
【請求項１】
通話機能を備える移動体装置であって、
位置を表す位置情報を取得する位置情報取得手段と、
通話相手先に対する発呼を契機として前記位置情報を前記通話相手先に通知する位置情報通知手段と、
を備えたことを特徴とする移動体装置。
【請求項２】
通話機能を備える移動体装置であって、
着呼を契機に起動する表示手段と、
通話相手先から通知された前記通話相手先の位置を表す位置情報を着呼から通話への遷移前に前記表示手段に表示させる制御手段と、
を備えたことを特徴とする移動体装置。
【請求項３】
移動体装置の移動位置を通知する、移動体装置の移動位置通知システムであって、
移動位置を表す位置情報を取得し、発呼を契機として前記位置情報を通知する位置情報通知手段と、
着呼を契機として前記位置情報通知手段から前記位置情報を受け、前記着呼から通話への遷移前に前記位置情報を表示する表示手段と、
を備えたことを特徴とする、移動体装置の移動位置通知システム。
【請求項４】
通話機能を備える移動体装置の移動位置通知方法であって、
前記移動体装置の位置を表す位置情報を取得するステップと、
通話相手先に対する発呼を契機として前記位置情報を前記通話相手先に通知するステップと、
を含むことを特徴とする、移動体装置の移動位置通知方法。
【発明の詳細な説明】
【技術分野】
【０００１】
本発明は、携帯電話機等、通信機能を備えて移動可能な移動体装置及びその通信システムに関し、特に、通話相手先に通話開始に先立って位置情報を提供し、相手先位置の確認が可能な移動体装置、その移動位置通知システム及びその移動位置通知方法に関する。
【背景技術】
【０００２】
携帯電話機等の移動体装置では文字通り移動位置で通話することができ、また、移動位置をＧＰＳ（Global Positioning System ）により知ることも可能である。緊急呼（１１０，１１９，１１８）の通話中や通話後にネットワークや緊急通報受理機関から発信者の位置情報を取得するサービスは既に存在している。
【０００３】
移動位置の確認や通知に関し、特許文献１では、各端末の識別情報と予め定めた通知先の識別情報とを関係付けて記憶手段に記憶するとともに、複数の地図情報をデータベースとして蓄積し、加入者から予め指定された条件に応じて移動体端末の位置情報を検索し、その位置情報を地図情報上に配置し、予め指定された通知先の表示端末に位置情報を着信要求に対する付加情報として地図情報にマッピングして通知先に通知する位置情報提供システムが開示されている。
【特許文献１】特開２００１−２１８２５０号公報（要約、図１等）
【発明の開示】
【発明が解決しようとする課題】
【０００４】
ところで、発信元の位置を通知先に通知することは、発信地を知る上で有益である。緊急呼の通話中や発信後にネットワークや緊急通報受理機関から発信者の位置情報を取得しようとすれば、通話を知られたくない他人に気付かれるおそれがあり、発信位置の特定が困難になる。また、発信側に位置情報の送信が可能であっても、着信側が受け取れない場合では、位置情報の通知は不調となる。
【０００５】
既述の携帯電話機又はＰＨＳ（Personal Handyphone System）から位置検出依頼を事前に交換ネットワークに登録することで、発信端末の現在位置の検索が実行され、通話先に位置検出結果を通知する技術（特許文献１）では、交換ネットワークへの登録が不可欠であり、迅速性に欠ける。
【０００６】
また、固定電話であれば発番号から発信位置をある程度特定することが可能であるが、携帯電話では電話番号から発信位置を特定することは不可能である。移動可能な携帯電話であっても発信位置を通話相手に知らせたい場合や、通話相手の発信位置を把握したい場合もあり得る。
【０００７】
斯かる要求や課題について、特許文献１にはその開示や示唆はなく、それを解決する構成等についての開示や示唆はない。
【０００８】
そこで、本発明の目的は、通話相手先に対し、通話開始前に発信位置を通知し、移動体通信の利便性を向上させることにある。
【課題を解決するための手段】
【０００９】
上記目的を達成するため、この移動体装置、その移動位置通知システム及びその移動位置通知方法では、携帯電話機等の移動体装置側で移動位置を表す位置情報を取得し、移動体装置がその通話相手先に対する発呼を契機とし、位置情報を通話相手先に通知する。通話相手先では、通知された位置情報をディスプレイ等に表示し、移動情報を通知してきた移動体装置の位置を通話前に認識することができる。位置情報は例えば、緯度や経度による移動情報であり、その情報を地図等に関係付けて表示すれば、移動体装置の位置を容易に確認でき、特定することができる。斯かる構成とすれば、通話の相手先の位置を事前に知ることができ、通話中の位置確認の手間が省け、移動体通信の利便性を向上させることができ、上記目的が達成される。
【００１０】
そこで、上記目的を達成するため、本発明の第１の側面は、通話機能を備える移動体装置であって、位置を表す位置情報を取得する位置情報取得手段と、通話相手先に対する発呼を契機として前記位置情報を前記通話相手先に通知する位置情報通知手段とを備えたことである。斯かる構成によれば、位置情報取得手段によって移動体の位置情報を取得し、位置情報通知手段によりその位置情報を通話相手先に発呼を契機として通知することができ、通話相手先ではその位置情報を確認することができ、上記目的が達成される。
【００１１】
上記目的を達成するため、本発明の第２の側面は、通話機能を備える移動体装置であって、着呼を契機に起動する表示手段と、通話相手先から通知された前記通話相手先の位置を表す位置情報を着呼から通話への遷移前に前記表示手段に表示させる制御手段とを備えたことである。斯かる構成によれば、発呼元から通知された位置情報を着呼から通話への遷移前に表示手段に表示でき、その表示から発呼元の位置を知ることができ、上記目的が達成される。位置情報に移動情報が付加されていれば、発呼元の移動体装置が移動中であるか否かを知ることができる。
【００１２】
上記目的を達成するため、本発明の第３の側面は、移動体装置の移動位置を通知する、移動体装置の移動位置通知システムであって、移動位置を表す位置情報を取得し、発呼を契機として前記位置情報を通知する位置情報通知手段と、着呼を契機として前記位置情報通知手段から前記位置情報を受け、前記着呼から通話への遷移前に前記位置情報を表示する表示手段とを備えたことである。斯かる構成によれば、発呼を契機として発呼側の位置を着呼側で知ることができ、通話することなく相手の位置を知ることができ、その位置情報を通話の契機とすることができる等、移動体装置の利便性を向上させることができ、上記目的が達成される。
【００１３】
上記目的を達成するため、本発明の第４の側面は、通話機能を備える移動体装置の移動位置通知方法であって、前記移動体装置の位置を表す位置情報を取得するステップと、通話相手先に対する発呼を契機として前記位置情報を前記通話相手先に通知するステップとを含むことである。斯かる構成によっても、上記目的が達成される。
【発明の効果】
【００１４】
本発明によれば、次のような効果が得られる。
【００１５】
(1) 通話開始前に発信位置が通知されるので、通話相手先の位置を通話開始前に知ることができ、移動体通信の利便性を向上させることができる。
【００１６】
(2) 位置情報を取得後、緊急呼等の発信と同時に、位置情報を緊急通報受理機関等の相手先に迅速に通知することができ、発信者の危険回避等の移動体装置の機能性を向上させることができる。
【００１７】
(3) 発信側の位置情報から発信側を推測でき、移動体装置の利便性が高められる。
【００１８】
そして、本発明の他の目的、特徴及び利点は、添付図面及び各実施の形態を参照することにより、一層明確になるであろう。
【発明を実施するための最良の形態】
【００１９】
〔第１の実施の形態〕
【００２０】
第１の実施の形態について、図１を参照して説明する。図１は、移動体装置の移動位置通知システム及びその移動位置通知方法の一例を示す図である。図１に係る構成は一例であって、斯かる構成に本発明が限定されるものではない。
【００２１】
この移動体装置の移動位置通知システム２は移動体装置を用いた通信システムであって、移動体装置の一例として端末装置４が備えられている。この端末装置４にはネットワーク６を通じて接続される通信装置として例えば、端末装置８が接続される。端末装置８は移動体装置である必要はなく、固定電話機や通信機能を備えたパーソナルコンピュータ（ＰＣ）であってもよい。
【００２２】
端末装置４は測位検索機能、移動速度計測機能及び位置情報通知機能を備えている。測位検索機能としてＧＰＳ（Global Positioning System ）機能は、ＧＰＳ衛星１０からのＧＰＳ電波を受信することにより、自機位置即ち、端末装置４の位置情報として緯度、経度、高度、測位レベルを取得する機能であって、この測位検索により、例えば、所定時間毎に実行すれば、移動位置をタイムリに取得することができる。移動速度計測機能は、自機の移動速度即ち、端末装置４を所有するユーザ、搭載された自動車等の移動体の移動速度を取得することができる。即ち、端末装置４が移動中であれば、位置情報には移動情報も含まれることになる。また、位置情報通知機能は、自機である端末装置４から通話相手先に対し、端末装置４の位置情報を通知する機能であって、電話番号を入力して通話相手先への発呼に基づき、通話相手先に対して端末装置４の位置情報を通知し、この位置情報を端末装置８との通話開始前に通話相手先即ち、端末装置８に通知する機能である。１２は端末装置４側の処理手順の一例、１４は端末装置４の表示部１６の表示内容の一例を示す。
【００２３】
端末装置８は、自機内にある地図データベース又はネットワーク６に接続されたサーバ装置１８にある地図データベース２０から地図データの提供を受けることができる。そこで、端末装置８は、通話相手先である端末装置４の発呼に基づく着信時に、端末装置４から提供される位置情報を受けると、地図データベース２０や自機内の地図データベースの地図データを参照し、その地図とともに端末装置４の位置や移動状態を表示する。２２は端末装置８側の処理手順の一例、２４は端末装置８の表示部２６の表示内容の一例を示す。端末装置８のユーザは、通話相手先の端末装置４から提供される位置情報を通話相手先の選択や通話開始の判断材料に利用し、必要に応じて通話をすればよい。
【００２４】
このような移動位置通知システム２によれば、端末装置４が位置情報を取得後、発呼と同時に位置情報を端末装置８に送信するので、端末装置８では着信と同時に端末装置４の発信位置を通話開始を待たずに特定し、認識することができる。そのため、緊急時には発呼するだけで、ネットワーク６や緊急通報受理機関からの測位情報取得要求を待たずに緊急通報受理機関へ発信者の位置情報を通知することができる等、通信の利便性を向上させることができる。
【００２５】
通話開始前に位置情報を通話相手先に可及的速やかに通知できるので、通話を第三者に知られることなく、通話相手先がその発信地を知ることができ、公共交通機関での移動中の通知や、犯罪等の不測の事態回避にも役立てることができる。また、位置情報によって発信地を特定できるので、その発信地から通話前に通話相手先を想定することができる。
【００２６】
位置情報には移動情報が付加されるので、その情報の有無から、発信者が移動中か否かを判別でき、発信者の状況を推測できる。例えば、移動情報と地図上の位置とから電車で移動中であるか否かを推測でき、発信者の状況を推測することができる。
【００２７】
次に、端末装置４、８について、図２、図３及び図４を参照する。図２は、端末装置４の構成例を示す図、図３は、端末装置８の構成例を示す図、図４は、端末装置の一例を示す図である。図２ないし図４に係る構成は一例であって、斯かる構成に本発明が限定されるものではない。図２ないし図４において、図１と同一部分には同一符号を付してある。
【００２８】
端末装置４は、図２に示すように、測位検索機能、移動速度計測機能及び位置情報通知機能等を実現するための構成として例えば、プロセッサ２８、表示部１６、入力操作部３２、記憶部３４、ＲＡＭ（Random-Access Memory）３６、無線通信部３８、ＧＰＳ部４０、加速度センサ部４２、音声入出力部４４を備えている。
【００２９】
プロセッサ２８は測位、移動速度計測、位置情報通知等の通信制御、緊急発信制御、表示制御、その他の機能制御を実行する制御手段であって例えば、ＣＰＵ（Central Processing Unit ）やＭＰＵ（Micro Processor Unit）を備え、記憶部３４にあるプログラムを実行する。表示部１６は入出力情報である画像情報や文字情報等の情報表示手段の一例であって例えば、ＬＣＤ（Liquid Crystal Display）表示素子で構成される。入力操作部３２は、ユーザ操作によって入力される情報の入力部であって、複数のキーボードで構成されており、この入力操作部３２には、通話開始を指示する通話ボタン４５、電話発信を開始させる手段の一例として緊急ボタン４６が備えられている。緊急ボタン４６は、緊急呼の発信であり例えば、電話番号１１０（警察）、１１９（消防）、１１８（海上緊急通報）の何れかへの通報又は同時通報に割り当てられている。
【００３０】
記憶部３４は、プログラムやデータ等の記録媒体の一例であって、プログラム記憶部４８、データ記憶部５０を備えている。プログラム記憶部４８は例えば、ＲＯＭ（Read-Only Memory）で構成され、ＯＳ（Operating System）や位置情報通知プログラム等が格納され、データ記憶部５０は固定データや、取得した位置情報の他、演算に用いるデータを記憶する。このデータ記憶部５０には、緯度、経度、高度、測位レベル等の位置情報、移動速度等の移動情報、電話番号等が格納される。ＲＡＭ３６はワークエリアを構成する。
【００３１】
無線通信部３８は電話通信やデータ通信等に用いられる無線通信手段であって、位置情報通知手段の一例である。無線通信部３８は、アンテナ５２を備え、プロセッサ２８の制御に基づき、無線によって図示しない基地局との通信を行う。ＧＰＳ部４０は、位置情報取得手段の一例であって、ＧＰＳアンテナ５４を備え、プロセッサ２８の制御に基づき、既述のＧＰＳ衛星１０からのＧＰＳ電波を受信し、緯度、経度及び高度等の測位情報を取得する。
【００３２】
加速度センサ部４２は移動速度の計測手段の一例であって、プロセッサ２８の制御に基づき、端末装置４に作用する加速度を計測し、速度演算のための情報を取得する。
【００３３】
音声入出力部４４は音声情報の入出力手段であって、マイクロフォン５６、レシーバ５８、スピーカ６０Ｌ、６０Ｒを備え、プロセッサ２８の制御に基づき、マイクロフォン５６からの音声入力を取り込み、音声出力をレシーバ５８及び／又はスピーカ６０Ｌ、６０Ｒから再生させる。
【００３４】
また、端末装置８は、端末装置４と同一の構成でよいが、この実施の形態では、図３に示すように、測位検索機能、移動速度計測機能及び位置情報通知機能等を実現するための構成として例えば、プロセッサ２８、表示部２６、入力操作部３２、記憶部３４、ＲＡＭ３６、無線通信部３８、ＧＰＳ部４０、加速度センサ部４２、音声入出力部４４を備えているとともに、データ記憶部５０には地図データベース６２が格納されている。この地図データベース６２にある地図データは、端末装置４から通知された位置情報を地図上に表示する処理に用いられる。その他の構成は図２に示す端末装置４と同一であるので、同一符号を付し、その説明を省略する。
【００３５】
斯かる構成を備える端末装置４、８は、図４に示すように、第１の筐体６４、第２の筐体６５をヒンジ部６６で開閉可能に備え、筐体６４には、入力操作部３２が備えられるとともに、マイクロフォン５６及びスピーカ６０Ｌ、６０Ｒが備えられ、筐体６５には、加速度センサ部４２、緊急ボタン４６、アンテナ５２、ＧＰＳアンテナ５４、レシーバ５８、表示部１６又は２６の表示画面６８又は７８が備えられる。
【００３６】
次に、緊急時の表示制御について、図５を参照する。図５は、緊急発信時の表示画面の推移を示す図である。図５に示す構成は一例であって、斯かる構成に本発明が限定されるものではない。図５において、図１及び図４と同一部分には同一符号を付してある。
【００３７】
発信側として例えば、端末装置４では、緊急ボタン４６が押下されると、この押下がプロセッサ２８に取り込まれ、図５Ａに示すように、表示部１６の表示画面６８にはその表示メッセージとして例えば、「緊急ボタンが押下されました」が表示されるとともに、測位制御が実行される。この測位制御の開始とともに、図５Ｂに示すように、表示画面６８にはその測位中であることを表す表示メッセージとして例えば、「測位中です」が表示される。この表示画面６８には、制御入力表示として、測位の中止を指示するための中止ボタン７０とともに、測位途中の測位情報を利用することを指示するための途中利用ボタン７２が表示される。これら中止ボタン７０や途中利用ボタン７２に対応する入力操作部３２にある対応キーの押下により、中止や途中利用を指示することができる。
【００３８】
測位が完了し、又は途中利用の押下を契機に、緊急呼発信が実行され、表示画面６８には図５Ｃに示すように、緊急呼発信を表す表示メッセージとして例えば、「緊急呼発信中（位置情報送信中）」が表示されるとともに、接続先の電話番号として例えば、「１１０」が表示される。この電話番号は予め設定しておけばよい。
【００３９】
この発呼中に位置情報が端末装置４から電話番号１１０の電話機に送信される。この位置情報の送信が完了すると、表示画面６８には図５Ｄに示すように、緊急呼発信の継続中であることを表すとともに、位置情報の送信が完了した旨の表示メッセージとして例えば、「緊急呼発信中（位置情報送信済）」が表示される。この場合も接続先であるとともに位置情報の送信先である電話番号として例えば、「１１０」が表示される。
【００４０】
次に、通常時の表示制御について、図６を参照する。図６は、通常時の表示画面の推移を示す図である。図６に示す構成は一例であって、斯かる構成に本発明が限定されるものではない。図６において、図１及び図４と同一部分には同一符号を付してある。
【００４１】
メニュー画面操作や特定ボタンの長押しを契機として測位制御が開始され、表示部１６の表示画面６８には図６Ａに示すように、その表示メッセージとして例えば、「測位中です」が表示される。この表示画面６８には、制御入力表示として、測位の中止を指示するための中止ボタン７０とともに、測位途中の測位情報を利用することを指示するための途中利用ボタン７２が表示される。これら中止ボタン７０や途中利用ボタン７２に対応する入力操作部３２にある対応キーの押下により、中止や途中利用を指示することができる。
【００４２】
測位が完了し、又は途中利用の押下を契機に、測位モードから情報表示モードに移行し、表示画面６８には図６Ｂに示すように、タイトルとして「位置情報」が表示されるとともに、その位置情報の選択肢として、
１  地図を見る
２  発信（位置情報付）
３  対応アプリを利用
４  メール貼り付け
５  電話帳登録
６  位置情報表示
が表示されるとともに、選択ボタン７４が表示される。この選択ボタン７４は、カーソル６７（図４）に対応し、既述の選択肢にある情報選択に用いられる。
【００４３】
この表示画面６８に表示されている表示内容から、「２  発信（位置情報付）」を選択すると、この選択の後、電話番号の入力又は電話番号データベースから電話番号の選択をすれば、発呼が開始される。
【００４４】
この発呼中に位置情報が端末装置４から発呼先の電話番号の例えば、端末装置８に送信される。この発信中の表示画面６８には図６Ｃに示すように、発信中を表す表示メッセージとして例えば、「発信中（位置情報送信中）」が表示されるとともに、接続先の電話番号として例えば、「０９０１１１１１１１１」が表示される。
【００４５】
この位置情報の送信が完了すると、表示画面６８には図６Ｄに示すように、発信中であることを表すとともに、位置情報の送信が完了した旨の表示メッセージとして例えば、「発信中（位置情報送信済）」が表示される。この場合も接続先であるとともに位置情報の送信先である電話番号として例えば、「０９０１１１１１１１１」が表示される。
【００４６】
次に、受信側の表示制御について、図７を参照する。図７は、受信側の表示画面の推移を示す図である。図７に示す構成は一例であって、斯かる構成に本発明が限定されるものではない。図７において、図１と同一部分には同一符号を付してある。
【００４７】
受信側として例えば、端末装置８が着信した場合、その表示画面７８には図７Ａに示すように、着信中であるとともに、位置情報が付加されていることを表す表示メッセージとして例えば、「着信中（位置情報付）」が表示されるとともに、発信元の電話番号が表示される。また、この表示画面７８には、制御入力表示としてメニュー選択手段であるメニューボタン（ＭＥＮＵ）８０、位置表示をするか否かの位置表示ボタン８２が表示される。これらメニューボタン８０及び位置表示ボタン８２は例えば、カーソル６７（図４）に対応している。位置表示ボタン８２を押下すると、表示内容が位置表示モードに切り替えられ、表示画面７８には図７Ｂに示すように、位置情報が移動中を示していれば、「移動中」である旨の表示とともに、地図８４が表示され、地図８４上に移動位置を表す移動位置マーク８６が表示される。この表示画面７８の下方には通話を許可するか否かの通話ボタン８８が表示される。この通話ボタン８８は、カーソル６７に対応するとともに、入力操作部３２の通話ボタン４５に対応する。この通話ボタン８８を押下すれば、通話モードに移行する。この実施の形態では、移動位置マーク８６を星型で示しているが、記号や図形で表してもよく、それを点滅表示としてもよい。
【００４８】
また、位置表示ボタン８２を押下した際に、地図表示から文字による住所表示も可能である。表示画面７８には例えば、図７Ｃに示すように、移動中を表す「移動中」の表示とともに、移動位置の住所表示をする。この場合も通話ボタン８８が表示され、この通話ボタン８８の押下により、発信元との通話が可能となる。
【００４９】
次に、位置情報の未送達表示について、図８を参照する。図８は、発信側の表示画面を示す図である。図８に示す構成は一例であって、斯かる構成に本発明が限定されるものではない。図８において、図１及び図４と同一部分には同一符号を付してある。
【００５０】
発信側の端末装置４から位置情報が端末装置８に送信されても、端末装置８側で位置情報が表示されない場合には、端末装置８から未送達である旨の通知が端末装置４に通知される。この場合、図８に示すように、端末装置４の表示画面６８には、端末装置８からの未送達の通知を受け、「発信中」の表示とともに、「位置情報未送達」及び電話番号が表示され、位置情報が未送達であることが告知される。
【００５１】
次に、位置情報の取得及び送信処理について、図９を参照する。図９は、位置情報の取得及び送信の処理手順を示すフローチャートである。図９に示す構成は一例であって、斯かる構成に本発明が限定されるものではない。
【００５２】
この処理手順は、移動位置通知方法及びそのプログラムの一例であって、通常時及び緊急時の双方の処理手順を包含している。
【００５３】
端末装置４では表示されたメニュー画面から位置情報の取得指示を行う。そこで、この位置情報の取得指示を受け付けたか否かを判定し（ステップＳ１１）、位置情報の取得指示を受け付けた場合には（ステップＳ１１のＹＥＳ）、位置情報の取得として測位を行い（ステップＳ１２）、この測位に続いて移動速度の取得を行う（ステップＳ１３）。これらのステップＳ１２、Ｓ１３により、端末装置４の位置と移動速度の双方が測定される。
【００５４】
緊急ボタン４６の押下が監視され（ステップＳ１４）、緊急ボタン４６の押下があれば（ステップＳ１４のＹＥＳ）、位置情報を送信情報に変換し（ステップＳ１５）、位置情報を付した緊急呼の発信、即ち、位置情報付緊急呼発信を行い（ステップＳ１６）、送達完了か否かを監視し（ステップＳ１７）、送達完了であれば（ステップＳ１７のＹＥＳ）、位置情報送達済みの画面表示を行い（ステップＳ１８）、位置情報の送信処理を完了する。この場合、位置情報の送達通知としてＡＬＥＲＴを表示してもよい。この状態から通話を行う場合には通話ボタン４５（８８）を押下すればよい。
【００５５】
また、ステップＳ１４で緊急ボタンの押下がなければ（ステップＳ１４のＮＯ）、通常発信であるから、位置情報メニューの表示画面に移行して位置情報メニューが表示され（ステップＳ１９）、発信（位置情報付）が選択されたか否かが判断され（ステップＳ２０）、発信（位置情報付）が選択されれば（ステップＳ２０のＹＥＳ）、電話番号入力又は電話番号の選択が可能となる（ステップＳ２１）。電話番号入力又は電話番号選択の後、取得している位置情報を送信情報に変換し（ステップＳ２２）、入力又は選択された電話番号に位置情報付通常発信を行い（ステップＳ２３）、ステップＳ１７に移行する。この通常発信の場合にも同様に発信完了の監視（ステップＳ１７）、位置情報送信画面表示（ステップＳ１８）の処理が実行される。
【００５６】
ステップＳ２０において、発信（位置情報付）の選択でなければ（ステップＳ２０のＮＯ）、発信（位置情報付）以外の処理、即ち、位置情報メニュー表示（ステップＳ１９）で選択された処理が実行される（ステップＳ２４）。この場合には、位置情報送信表示画面の表示はない。
【００５７】
次に、位置情報の受信処理について、図１０を参照する。図１０は、受信側の位置情報の受信処理の処理手順を示すフローチャートである。図１０の構成は一例であって、斯かる構成に本発明が限定されるものではない。
【００５８】
この受信処理について、端末装置８（図３）を参照する。この端末装置８にあっては、着信の有無を監視し（ステップＳ３１）、着信があれば、位置情報付であるか否か即ち、位置情報が付されているか否かを判断し（ステップＳ３２）、位置情報が付されていれば（ステップＳ３２のＹＥＳ）、その位置情報を保存し、その位置情報に移動速度が含まれていれば、その移動速度も位置情報とともに保存し（ステップＳ３３）、位置情報を付加したＡＬＥＲＴ（送達通知）を送信する（ステップＳ３４）。その際、表示画面７８（図７）には、位置表示ボタン８２が表示され（ステップＳ３５）、この位置表示ボタン８２の押下を監視する（ステップＳ３６）。この位置表示ボタン８２の押下は、カーソル６７（図４）により選択して決定キー６９の押下で行われる。位置表示ボタン８２が押下されれば（ステップＳ３６のＹＥＳ）、位置情報（移動速度）の変換処理を開始し（ステップＳ３７）、端末装置８に存在する地図データベース６２やネットワーク６側の地図データベース２０にアクセスし（ステップＳ３８）、発信位置が表示され（ステップＳ３９）、ステップＳ４０の通話ボタン４５（８８）の押下確認に移行する。
【００５９】
ステップＳ３２において、位置情報付でなければ（ステップＳ３２のＮＯ）、ステップＳ３３〜Ｓ３９をスキップしてステップＳ４０に移行し、また、ステップＳ３６において、位置表示ボタン８２が押下されなければ（ステップＳ３６のＮＯ）、同様に、ステップＳ４０に移行する。
【００６０】
ステップＳ４０では、通話ボタン４５（８８）の押下を監視し、通話ボタン４５が押下されれば（ステップＳ４０のＹＥＳ）、通話をすることができる（ステップＳ４１）。通話ボタン４５が押下されなければ（ステップＳ４０のＮＯ）、通話に移行することなく、この着信処理を終了する。
【００６１】
次に、端末装置間の位置情報の送受信及びその送受信タイミングについて、図１１、図１２、図１３、図１４及び図１５を参照する。図１１は、緊急発信時の端末装置４とネットワーク６との間の処理を示す図、図１２は、通常時の端末装置４とネットワーク６との間の処理を示す図、図１３は、着信時のネットワーク６と端末装置８との間の処理を示す図、図１４は、端末装置間の位置情報の送受信タイミングを示す図、図１５は、位置情報の未送達通知処理を示す図である。図１１ないし図１５の構成は一例であって、斯かる構成に本発明が限定されるものではない。
【００６２】
緊急発信時の端末装置４とネットワーク６との間の処理手順には、ユーザの端末装置４側で測位した位置情報がネットワーク６にＳＥＴＵＰ送信される処理を含んでいる。この処理手順では、図１１に示すように、端末装置４において、緊急ボタン４６が押下されると（ステップＳ５１）、測位が実行される（ステップＳ５２）。この測位によって位置情報の取得が完了すると、発信が開始される（ステップＳ５３）。この発信に基づき、端末装置４の位置を表す位置情報が、接続のための信号としてＳＥＴＵＰ信号に付加されてネットワーク６に向けて送信される（ステップＳ５４）。
【００６３】
また、通常時の端末装置４とネットワーク６との間の処理手順では、図１２に示すように、端末装置４において、ユーザ操作による任意の測位が実行され、測位が指示されると、この指示に基づき（ステップＳ６１）、測位が行われる。この測位に基づき、位置情報の取得が実行され（ステップＳ６２）、位置情報が取得される。ユーザの発信操作（ステップＳ６３）に基づき、発信が開始される（ステップＳ６４）。この発信に基づき、端末装置４の位置を表す位置情報が、接続のための信号としてＳＥＴＵＰ信号に付加されてネットワーク６に向けて送信される（ステップＳ６５）。この場合も同様に、端末装置４が移動中であれば、加速度センサ部４２の検出加速度により移動中であるか否かが求められ、位置情報に移動情報が含まれる。
【００６４】
また、着信時のネットワーク６と端末装置８との間の処理には、ネットワーク６から位置情報を含むＳＥＴＵＰ信号を受信した場合は、端末装置８内にある地図データベース６２やネットワーク６側の地図データベース２０にアクセスし、表示画面（着信画面）７８（図７）上に位置情報を表示し、表示した旨の送達通知を設定した通知情報としてＡＬＥＲＴをネットワーク６に送信する処理が含まれる。
【００６５】
この処理では、図１３に示すように、ネットワーク６から既述の位置情報が付加されたＳＥＴＵＰ信号が端末装置８に通知され（ステップＳ７１）、この通知を受けた端末装置８からの応答信号としてＣＡＬＬ  ＣＯＮＦ信号がネットワーク６に通知され（ステップＳ７２）、端末装置８の表示画面（着信画面）７８（図７）には端末装置４の位置や移動を表す位置情報が表示される（ステップＳ７３）。この位置情報の表示の後、端末装置８からネットワーク６に送達通知としてＡＬＥＲＴが送信される（ステップＳ７４）。
【００６６】
そして、端末装置４、８間の位置情報の送受信タイミングは、図１４に示すように、発側の端末装置４で測位（ステップＳ８１）の後、発信（ステップＳ８２）が行われ、発信の後、ネットワーク６に対して位置情報が付加されたＳＥＴＵＰ送信（ステップＳ８３）、着側の端末装置８に対してネットワーク６から位置情報が付加されたＳＥＴＵＰ送信（ステップＳ８４）が行われ、端末装置８からネットワーク６に対してその応答としてＣＡＬＬ  ＣＯＮＦ信号の送信（ステップＳ８５）、ネットワーク６から端末装置４に対してＣＡＬＬ  ＰＲＯＣ信号の送信（ステップＳ８６）が行われる。
【００６７】
着側の端末装置８では、位置情報が付加されたＳＥＴＵＰ信号（ステップＳ８４）を受けると、位置情報の表示（ステップＳ８７）を行うとともに、その通知処理として送達通知を付したＡＬＥＲＴをネットワーク６に対して送信する（ステップＳ８８）。これを受けて、ネットワーク６から端末装置４に対して同様に、送達通知を付したＡＬＥＲＴが送信される（ステップＳ８９）。送達通知を受けた発側の端末装置４では、表示画面６８（図８）に位置情報送達完了表示を行い（ステップＳ９０）、ユーザに位置情報送達完了を告知する。
【００６８】
また、端末装置４において、位置情報が通話相手先の端末装置８に表示されたか否かをネットワーク６から送信されるＡＬＥＲＴ信号に設定された送達通知に基づき、呼出中の表示画面６８に表示する。この呼出中の表示画面６８は、ＡＬＥＲＴ受信からＣＯＮＮＥＣＴ受信までの間に表示される。なお、着側の端末装置８に位置情報が表示されない場合には、ＡＬＥＲＴに送達通知が設定されないので、表示画面６８（図８）には未送達である旨の表示を行う。
【００６９】
この場合、位置情報の未送達を表示する場合の処理では、図１５に示すように、端末装置４から位置情報が付加されたＳＥＴＵＰ信号がネットワーク６に送信され（ステップＳ１０１）、図示しない端末装置８からのＣＡＬＬ  ＣＯＮＦ信号を受けたネットワーク６からＣＡＬＬ  ＰＲＯＣ信号が端末装置４に送信され（ステップＳ１０２）、位置情報が表示されない場合には、図示しない端末装置８から送信されたＡＬＥＲＴ信号がネットワーク６から端末装置４に送信される（ステップＳ１０３）。この場合、ＡＬＥＲＴ信号には送達通知が設定されないので、端末装置４の表示画面６８（図８）に未送達を表す情報が表示される（ステップＳ１０４）。
【００７０】
以上説明した上記実施の形態について、効果や利点を列挙すれば次の通りである。
【００７１】
移動体装置である端末装置４に測位手段や速度計測手段を備えるとともに、位置情報通知手段を備えたので、測位情報や速度情報等の位置情報を通知手段により、通話相手先の相手装置や、緊急通報受理機関に通知でき、しかも、通話状態へ遷移する前に位置情報を通知することができる。
【００７２】
また、受信した位置情報を表示手段によって表示でき、しかも、その表示は通話着信により行うことができ、通話状態へ遷移する前に位置情報を表示することができる。
【００７３】
端末装置４側では、緊急ボタン４６を押すことにより、発信時に特定の番号に対して自分の位置情報を通知することができる。
【００７４】
加速度センサ部４２が搭載されているので、位置測位時の移動速度を算出でき、その移動速度も着信側に通知でき、端末装置８側では発信側の端末装置４が移動中であるか否かを知ることができる。
【００７５】
位置情報取得機能として例えば、ＧＰＳを装備した端末装置４で取得した位置情報を通話開始前に端末装置８の表示画面に表示することができ、着信時に相手装置である端末装置４の位置を特定することができる。また、端末装置４が移動中であれば、その移動情報を表示することができ、位置情報は端末装置８側で地図データベース２０又は６２を用いて地図上に表示することができる。
【００７６】
従来の携帯電話機やＰＨＳでは事前に交換ネットワークに登録しなければ、発信側の位置検索をすることができなかったが、上記実施の形態では、このような登録機能を必要とすることなく、発信側の端末装置４側の位置情報を相手装置に通知することができる。
【００７７】
携帯電話機では電話番号だけでその位置を特定することが不可能であったが、発信側の端末装置４の位置情報を相手装置に自動的に通知でき、着信側は通話開始前に発信側の位置を表示画面から容易に把握することができる。
【００７８】
端末装置４では測位や移動速度の算出により位置情報を取得後、発呼と同時に、緯度、経度等の位置情報を通話相手先に送信でき、端末装置８側では受け取った位置情報から端末装置８の地図データベース６２の参照や、ネットワーク６側の地図データベース２０にアクセスして発信側の位置を地図とともに表示し、その地図上から発信位置を特定できる。
【００７９】
通話開始前の電話発信時に位置情報を通話相手先に通知できるので、電車等の乗車中にも通話相手先に位置を知らせることができる。表示された位置情報から発信側の端末装置４の位置を特定でき、その発信位置から通話すべきか否かの特定に利用できる。
【００８０】
端末装置４の位置情報の取得はＧＰＳの装備により容易に実現でき、正確な位置情報を取得して通話相手先に通知することができる。
【００８１】
緊急呼（１１０、１１９、１１８）の通話中や発信後にネットワーク６や緊急通報受理機関から発信者の位置情報を取得しようとした際に、通話していることが第三者に知られることなく通知することができる。
【００８２】
従来装置では、発信側が現在位置を知らせたいときに着信側が受け取れない状況では、再度、発信を試み、通話が可能となるまでは位置情報を知らせることができないが、上記実施の形態では、着側の端末装置８側に着信させることができる。
【００８３】
端末装置４側で位置情報を取得（測位完了、又は完了まで待てない場合は、測位途中の結果利用）後、発信と同時に、緯度、経度等の位置情報を端末装置８に送信でき、従来技術では着信側で発信側の位置を確認できるのは接続完了後でなければならなかったが、上記実施の形態では接続前即ち、通話前に着側で発側の位置を確認することができる。
【００８４】
端末装置４の緊急ボタン４６の押下を契機にＧＰＳ測位後、予め登録した番号（１１０，１１９，１１８／特定番号）に位置情報を送信でき、迅速な位置情報の通知を行うことができる。
【００８５】
端末装置４の緊急ボタン４６の押下やユーザ操作により位置情報を取得でき、緊急呼の発信と同時に、緯度、経度の情報を相手装置に送信することができ、ネットワーク６や緊急通報受理機関からの測位情報取得要求を待たずに緊急通報受理機関へ発信者の位置情報を通知することができる。犯罪の未然防止や犯罪捜査に役立てることができる。
【００８６】
非通知設定された着信や見知らぬ電話番号による着信の場合、相手装置の端末装置４から通知される位置情報が通話の可否を決定するための情報に利用できる。
【００８７】
発信側が移動中か否かを移動情報から識別でき、例えば、図７（Ｂ）に示すように、鉄道沿線上の位置情報と移動中という着信情報があれば、電車で移動中等、発信者の状況を予測することができる。
【００８８】
〔第２の実施の形態〕
【００８９】
上記実施の形態では、端末装置４に加速度センサ部４２を設置し、加速度センサ部４２で検出した加速度情報から速度情報を算出し、移動情報として端末装置８側に送信したが、図１６に示すように、加速度センサ部４２を除き、ＧＰＳ部４０によって測位による位置情報や移動情報を取得する構成としてもよい。また、位置情報として測位情報のみを用いてもよい。図１６において、図２と同一部分には同一符号を付し、その説明を省略する。
【００９０】
〔第３の実施の形態〕
【００９１】
上記実施の形態では、入力操作部３２に緊急ボタン４６を備え、緊急発呼とともに位置情報を取得し、その位置情報を端末装置８等に送信する構成としたが、図１７に示すように、緊急ボタン４６を除いて構成し、通常発信のみ又は緊急呼のための発呼ボタンを他の入力操作部にあるキーに割り付けてもよく、また、電話データベースに記録した緊急発呼用の電話番号を選択する構成としてもよい。図１７において、図２と同一部分には同一符号を付し、その説明を省略する。
【００９２】
〔他の実施の形態〕
【００９３】
第１の実施の形態における図１１、図１２、図１３及び図１４の処理シーケンスでは測位によって位置情報を取得しているが、この測位と同時に又は測位前に又は測位後に加速度センサ部４２を用いて検出した加速度情報を用いて移動情報を算出する構成としてもよい。
【実施例】
【００９４】
次に、設定情報について、図１８、図１９、図２０及び図２１を参照する。図１８は、位置情報パラメータフィールドの一例を示す図、図１９は、パラメータ設定情報の実装例のを示す図、図２０は、パラメータ設定情報の他の実装例を示す図、図２１は、位置情報送達通知パラメータフィールドの一例を示す図である。図１８ないし図２１の構成は一例であって、斯かる構成に本発明が限定されるものではない。
【００９５】
図１８の（Ａ）に示すように、位置情報送信時のパラメータフィールド及びパラメータ設定情報は、パラメータ「Shift identifier」、「０」、パラメータ「New codeset identification：codeset 7 」及びパラメータ「Locking shift value 」で構成され、パラメータ「Shift identifier」、「０」及びパラメータ「New codeset identification：codeset 7 」の設定位置は octet１である。これは、3GPP TS24.008 10.5.4.2 Locking shift procedureによる。また、「Locking shift value 」の設定位置は octet２から最大で octet２５６であり、これは、ARIB TR-T12-27.A02による。
【００９６】
そして、パラメータ「Locking shift value 」は、図１８の（Ｂ）に示すように、パラメータ「Location and Motion information element identifier (IEI)」、パラメータ「Length of IE contents 」、パラメータ「Location and Motion IE contents 」で構成され、パラメータ「Location and Motion information element identifier (IEI)」の設定位置は octet２であり、パラメータ「Length of IE contents 」の設定位置は octet３であり、パラメータ「Location and Motion IE contents 」の設定位置は octet４から最大で octet２５６である。
【００９７】
これらのパラメータ設定情報には、図１９に示すように、パラメータ「Location and Motion IEI 」、パラメータ「Length of IE」、パラメータ「Location and Motion IE contents 」が含まれ、パラメータ「Location and Motion IEI 」は、サイズが１〔oct.〕、設定内容が「位置／移動情報付を示す値」である。パラメータ「Length of IE」は、サイズが１〔oct.〕、設定内容が「Location and Motion IE contents のOctet 長を設定」であり、設定範囲が「1-〜253 」である。また、パラメータ「Location and Motion IE contents 」は、サイズが1-〜253 〔oct.〕であり、このパラメータに位置情報が設定される。即ち、下記の位置情報（UE positioning GPS reference UE position相当の情報）が設定される。設定情報の値は一例であり、即ち、
「0x01                       # latitudeSign value 
0x40, 0x2C, 0xC8           # latitude value 
0xFF, 0xA4, 0xA8, 0x65     # longitude value
0x00                       # altitudeDirection value
0x00, 0x19                 # altitude value 
0x01                       # uncertaintySemiMajor value 
0x01                       # uncertaintySemiMinor value 
0x00                       # orientationMajorAxis value 
0x01                       # uncertaintyAltitude value
0x44                       # confidence value 
0x11                       # speed value」
に設定される。
【００９８】
また、パラメータ「Locking shift value 」は、図２０に示すように、パラメータ「Location and Motion IEI 」、パラメータ「Length of IE」、パラメータ「Location and Motion IE contents 」が含まれ、パラメータ「Location and Motion IEI 」は、サイズが１〔oct.〕、設定内容が「位置／移動情報付を示す値」である。パラメータ「Length of IE」は、サイズが１〔oct.〕、設定内容が「Location and Motion IE contents のOctet 長を設定」であり、設定範囲が「1-〜253 」である。これらは図１９に示す実装例と同様である。
【００９９】
そして、この場合、パラメータ「Location and Motion IE contents 」は、サイズが1-〜253 〔oct.〕であり、このパラメータに位置情報が設定され、その設定内容は以下の通りである。
【０１００】
「下記の位置情報を設定（値は例）
緯度＆経度＆高度＆測位レベル＆速度｛フォーマットはname=valueとし、‘＆’（ア  ンパサンド）で各要素を区切る。要素の省略は可能｝
lat=+41.00.35.600&lon=+130.30.00.600&alt=15.11&acc=3&spe=17 
・緯度（lat ）
フォーマットは、 dms（±dd.mm.ss.sss）
北緯を＋、南緯を−として指定。
６０進法で、度をdd、分をmm、秒をssとして表記し、小数点以下は１０進法で三桁表  記とする。四桁以上データがある場合、四桁目を四捨五入すること。なお、度分秒の各  パラメータは「．」で区切り、全ての記述は１バイト文字（半角文字）で記述する。
・経度（lon ）
フォーマットは、 dms（±ddd.mm.ss.sss ）
東経を＋、西経を−として指定。
１８０進法で度をddd 、６０進法で分をmm、秒をssとして表記し、小数点以下は１０  進法で三桁表記とする。四桁以上データがある場合、四桁目を四捨五入すること。なお  、度分秒の各パラメータは「. 」で区切り、全ての記述は１バイト文字（半角文字）で  記述する。
・高度（alt ）
単位はメートルとし、１０進法で表記する。value は可変長とする。なお、全ての記  述は１バイト文字（半角文字）で記述する。
・測位レベル（acc ）
測位結果の誤差範囲を測位レベルのパラメータとして表記する。なお、全ての記述は  １バイト文字（半角文字）で記述する。
誤差範囲と測位レベルは以下のように対応する。
誤差範囲                            測位レベル
水平誤差＜５０〔ｍ〕                  ３
５０〔ｍ〕≦水平誤差＜３００〔ｍ〕    ２
３００〔ｍ〕≦水平誤差                １
・速度（spe ）
単位はメートル／秒とし、１０進法で表記する。value は可変長とする。なお、全て  の記述は１バイト文字（半角文字）で記述する。」
【０１０１】
また、位置情報送達通知パラメータフィールド及びパラメータ設定情報は、図２１の（Ａ）に示すように、パラメータ「Shift identifier」、「０」、パラメータ「New codeset identification：codeset 7 」及びパラメータ「Locking shift value 」で構成され、パラメータ「Shift identifier」、「０」及びパラメータ「New codeset identification：codeset 7 」の設定位置は octet１である。これは、3GPP TS24.008 10.5.4.2 Locking shift procedureによる。また、「Locking shift value 」の設定位置は octet２であり、これは、ARIB TR-T12-27.A02による。
【０１０２】
そして、パラメータ「Locking shift value 」は、図２１の（Ｂ）に示すように、パラメータ「Location and Motion information element identifier (IEI)」で構成され、この設定位置は octet２である。
【０１０３】
次に、端末装置間の位置情報の送受信及びその送受信タイミングについて、図２２、図２３、図２４、図２５及び図２６を参照する。図２２は、緊急発信時の端末装置４とネットワーク６との間の処理を示す図、図２３は、通常時の端末装置４とネットワーク６との間の処理を示す図、図２４は、着信時のネットワーク６と端末装置８との間の処理を示す図、図２５は、端末装置間の位置情報の送受信タイミングを示す図、図２６は、位置情報の未送達通知処理を示す図である。図２２ないし図２６の構成は一例であって、斯かる構成に本発明が限定されるものではない。図２２ないし図２６において、図１１ないし図１５と対応部分には同一又は類似符号を付してある。
【０１０４】
この実施例において、緊急発信時の端末装置４とネットワーク６との間の処理手順では、図２２に示すように、端末装置４において、緊急ボタン４６の押下（ステップＳ２５１）により、測位（ステップＳ２５２）、発信（ステップＳ２５３）が実行される。この発信に基づき、端末装置４の位置を表す位置情報即ち、パラメータ「Locking Shift Codeset 7 」（位置情報）がＳＥＴＵＰ信号に付加されてネットワーク６に向けて送信される（ステップＳ２５４）。
【０１０５】
また、通常時の端末装置４とネットワーク６との間の処理手順では、図２３に示すように、端末装置４において、ユーザ操作による測位指示に基づき（ステップＳ２６１）、測位（ステップＳ２６２）が実行される。ユーザの発信操作（ステップＳ２６３）に基づき、発信（ステップＳ２６４）、ネットワーク６に対してパラメータ「Locking Shift Codeset 7 」（位置情報）が付加されたＳＥＴＵＰ信号が送信される（ステップＳ２６５）。
【０１０６】
また、着信時のネットワーク６と端末装置８との間の処理には、ネットワーク６からパラメータ「Locking Shift Codeset 7 」（位置情報）を含むＳＥＴＵＰ信号を受信した場合に、端末装置８内にある地図データベース６２やネットワーク６側の地図データベース２０にアクセスし、表示画面（着信画面）７８（図７）上に位置情報を表示し、表示した旨の送達通知がパラメータ「Locking Shift Codeset 7 」に設定したＡＬＥＲＴをネットワーク６に送信する処理が含まれる。
【０１０７】
この処理では、図２４に示すように、ネットワーク６から既述のパラメータ「Locking Shift Codeset 7 」（位置情報）が付加されたＳＥＴＵＰ信号が端末装置８に通知され（ステップＳ２７１）、応答信号としてＣＡＬＬ  ＣＯＮＦ信号がネットワーク６に通知され（ステップＳ２７２）、端末装置８の表示画面（着信画面）７８には端末装置４の位置情報が表示される（ステップＳ２７３）。この位置情報の表示の後、端末装置８からネットワーク６に「Locking Shift Codeset 7 」（送達通知）が付加されたＡＬＥＲＴが送信される（ステップＳ２７４）。
【０１０８】
そして、端末装置４、８間の位置情報の送受信タイミングは、図２５に示すように、発側の端末装置４で測位（ステップＳ２８１）の後、発信（ステップＳ２８２）が行われ、発信の後、パラメータ「Locking Shift Codeset 7 」（位置情報）が付加されたＳＥＴＵＰ送信（ステップＳ２８３）、着側の端末装置８に対してネットワーク６からパラメータ「Locking Shift Codeset 7 」（位置情報）が付加されたＳＥＴＵＰ送信（ステップＳ２８４）が行われ、端末装置８からネットワーク６にＣＡＬＬ  ＣＯＮＦ信号の送信（ステップＳ２８５）、ネットワーク６から端末装置４に対してＣＡＬＬ  ＰＲＯＣ信号の送信（ステップＳ２８６）が行われる。
【０１０９】
着側の端末装置８では、パラメータ「Locking Shift Codeset 7 」（位置情報）が付加されたＳＥＴＵＰ（ステップＳ２８４）を受けると、位置情報の表示（ステップＳ２８７）を行うとともに、その通知処理としてパラメータ「Locking Shift Codeset 7 」（送達通知）を付したＡＬＥＲＴをネットワーク６に対して送信する（ステップＳ２８８）。これを受けて、ネットワーク６から端末装置４に対して同様に、パラメータ「Locking Shift Codeset 7 」（送達通知）が付加されたＡＬＥＲＴが送信される（ステップＳ２８９）。送達通知を受けた発側の端末装置４では、表示画面６８に位置情報送達完了表示を行い（ステップＳ２９０）、ユーザに位置情報送達完了を告知する。
【０１１０】
また、端末装置４において、位置情報が相手の端末装置８に表示されたか否かをネットワーク６から送信されるＡＬＥＲＴ信号に設定された送達通知に基づき、呼出中の表示画面６８（図８）に表示する。この呼出中の表示画面６８は、ＡＬＥＲＴ受信からＣＯＮＮＥＣＴ受信までの間に表示される。なお、着側の端末装置８に位置情報が表示されない場合には、ＡＬＥＲＴに送達通知が設定されないので、表示画面６８には未送達である旨の表示を行う。
【０１１１】
位置情報の未送達を表示する場合の処理では、図２６に示すように、端末装置４からパラメータ「Locking Shift Codeset 7 」（位置情報）が付加されたＳＥＴＵＰ信号がネットワーク６に送信され（ステップＳ３０１）、端末装置８からのＣＡＬＬ  ＣＯＮＦ信号を受けたネットワーク６からＣＯＬＬ  ＰＲＯＣ信号が端末装置４に送信され（ステップＳ３０２）、位置情報が表示されない場合には、図示しない端末装置８から送信されたパラメータ「Locking Shift Codeset 7 」（送達通知）が付加されないＡＬＥＲＴ信号がネットワーク６から端末装置４に送信される（ステップＳ３０３）。この場合、ＡＬＥＲＴ信号には送達通知が設定されないので、端末装置４の表示画面６８（図８）に未送達を表す情報が表示される（ステップＳ３０４）。
【０１１２】
以上述べた実施例から明らかなように、発信時に測位した位置情報を電話番号と一緒に通知することができ、３Ｇ（3rd Generation）ＴＳ２４．００８で規定された「Locking shift procedure 」や同等の手順を利用して実現することができる。図１９及び図２０に示すように、「Location and Motion IE contents 」部分に３Ｇ  ＴＳ２５．３３１で規定されている「UE positioning GPS reference UE position」相当の情報を通知することで相手側の端末装置８に位置情報を通知することである（図１９、図２０、図２２ないし図２６）。
【０１１３】
そして、加速度センサ部４２を備えていれば、発信時に、加速度センサ部４２で計測した移動速度を、位置情報と一緒に通知すればよい。データフォーマットは、図１９に示すように、パラメータ「Location and Motion IE contents 」部分に移動速度を表す移動情報を付加すれば、移動情報を含む位置情報を通知することができる。
【０１１４】
次に、以上述べた本発明の実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【０１１５】
（付記１）  通話機能を備える移動体装置であって、
位置を表す位置情報を取得する位置情報取得手段と、
通話相手先に対する発呼を契機として前記位置情報を前記通話相手先に通知する位置情報通知手段と、
を備えたことを特徴とする移動体装置。
【０１１６】
（付記２）  付記１に記載の移動体装置において、
前記位置情報の通知を指示する指示手段を備え、前記位置情報通知手段は、前記指示手段の指示を受け、前記通話相手先に対する前記発呼と前記位置情報の通知とを行うことを特徴とする移動体装置。
【０１１７】
（付記３）  付記１又は２に記載の移動体装置において、
移動速度を測定する速度測定手段を備え、前記位置情報通知手段は、前記速度測定手段で測定した前記移動速度を表す速度情報を、前記通話相手先に前記位置情報を通知する際に通知することを特徴とする移動体装置。
【０１１８】
（付記４）  通話機能を備える移動体装置であって、
着呼を契機に起動する表示手段と、
通話相手先から通知された前記通話相手先の位置を表す位置情報を着呼から通話への遷移前に前記表示手段に表示させる制御手段と、
を備えたことを特徴とする移動体装置。
【０１１９】
（付記５）  移動体装置の移動位置を通知する、移動体装置の移動位置通知システムであって、
移動位置を表す位置情報を取得し、発呼を契機として前記位置情報を通知する位置情報通知手段と、
着呼を契機として前記位置情報通知手段から前記位置情報を受け、前記着呼から通話への遷移前に前記位置情報を表示する表示手段と、
を備えたことを特徴とする、移動体装置の移動位置通知システム。
【０１２０】
（付記６）  付記５に記載の移動体装置の移動位置通知システムにおいて、
前記位置通知手段は、通知指示手段を備え、前記通知指示手段による通知指示を契機に前記位置情報を通知することを特徴とする、移動体装置の移動位置通知システム。
【０１２１】
（付記７）  付記５に記載の移動体装置の移動位置通知システムにおいて、
前記位置通知手段は、移動速度測定手段を備えて移動速度を測定し、移動速度を表す速度情報を通知することを特徴とする、移動体装置の移動位置通知システム。
【０１２２】
（付記８）  通話機能を備える移動体装置の移動位置通知方法であって、
前記移動体装置の位置を表す位置情報を取得するステップと、
通話相手先に対する発呼を契機として前記位置情報を前記通話相手先に通知するステップと、
を含むことを特徴とする、移動体装置の移動位置通知方法。
【０１２３】
（付記９）  付記８に記載の移動体装置の移動位置通知方法において、
前記位置情報の通知指示をするステップと、
前記通知指示を受け、通話相手先に対する発呼と位置情報の通知とを行うステップと、
を含むことを特徴とする、移動体装置の移動位置通知方法。
【０１２４】
（付記１０）  付記８又は９に記載の移動体装置の移動位置通知方法において、
前記移動体装置の移動速度を測定するステップと、
前記移動速度を表す速度情報を、前記通話相手先に前記位置情報を通知する際に通知するステップと、
を含むことを特徴とする、移動体装置の移動位置通知方法。
【０１２５】
（付記１１）  通話機能を備える移動体装置の移動位置通知方法であって、
着呼を契機に表示手段を起動するステップと、
通話相手先から通知された前記通話相手先の位置を表す位置情報を着呼から通話への遷移前に前記表示手段に表示させるステップと、
を含むことを特徴とする、移動体装置の移動位置通知方法。
【０１２６】
（付記１２）  通話機能を備える移動体装置に搭載されたコンピュータに実行させるための移動体装置の移動位置通知プログラムであって、
前記移動体装置の位置を表す位置情報を取得するステップと、
通話相手先に対する発呼を契機として前記位置情報を前記通話相手先に通知するステップと、
を実行させることを特徴とする、移動体装置の移動位置通知プログラム。
【０１２７】
（付記１３）  付記１２に記載の移動体装置の移動位置通知プログラムにおいて、
前記位置情報の通知指示をするステップと、
前記通知指示を受け、通話相手先に対する発呼と位置情報の通知とを行うステップと、
を含むことを特徴とする、移動体装置の移動位置通知プログラム。
【０１２８】
（付記１４）  付記１２又は１３に記載の移動体装置の移動位置通知プログラムにおいて、
前記移動体装置の移動速度を測定するステップと、
前記移動速度を表す速度情報を、前記通話相手先に前記位置情報を通知する際に通知するステップと、
を含むことを特徴とする、移動体装置の移動位置通知プログラム。
【０１２９】
（付記１５）  通話機能を備える移動体装置に搭載されたコンピュータに実行させるための移動体装置の移動位置通知プログラムであって、
着呼を契機に表示手段を起動するステップと、
通話相手先から通知された前記通話相手先の位置を表す位置情報を着呼から通話への遷移前に前記表示手段に表示させるステップと、
を含むことを特徴とする、移動体装置の移動位置通知プログラム。
【０１３０】
（付記１６）  通話機能を備える移動体装置に搭載されたコンピュータに実行させるための移動位置通知プログラムを前記コンピュータに読出し可能に格納した記録媒体であって、
前記移動体装置の位置を表す位置情報を取得するステップと、
通話相手先に対する発呼を契機として前記位置情報を前記通話相手先に通知するステップと、
を前記コンピュータに実行させることを特徴とする記録媒体。
【０１３１】
（付記１７）  付記１６に記載の記録媒体において、
前記位置情報の通知指示をするステップと、
前記通知指示を受け、通話相手先に対する発呼と位置情報の通知とを行うステップと、
を含むことを特徴とする記録媒体。
【０１３２】
（付記１８）  付記１６又は１７に記載の記録媒体において、
前記移動体装置の移動速度を測定するステップと、
前記移動速度を表す速度情報を、前記通話相手先に前記位置情報を通知する際に通知するステップと、
を含むことを特徴とする記録媒体。
【０１３３】
（付記１９）  通話機能を備える移動体装置に搭載されたコンピュータに実行させるための移動位置通知プログラムを前記コンピュータに読出し可能に格納した記録媒体であって、
着呼を契機に表示手段を起動するステップと、
通話相手先から通知された前記通話相手先の位置を表す位置情報を着呼から通話への遷移前に前記表示手段に表示させるステップと、
を前記コンピュータに実行させることを特徴とする記録媒体。
【０１３４】
以上説明したように、本発明の最も好ましい実施の形態等について説明したが、本発明は、上記記載に限定されるものではなく、特許請求の範囲に記載され、又は発明を実施するための最良の形態に開示された発明の要旨に基づき、当業者において様々な変形や変更が可能であることは勿論であり、斯かる変形や変更が、本発明の範囲に含まれることは言うまでもない。
【産業上の利用可能性】
【０１３５】
本発明は、携帯電話機等、通信機能を備えて移動可能な移動体装置から通話相手先に通話開始に先立って位置情報を提供するので、通話相手先で発信元の移動体装置の位置を通話開始前に知ることができ、移動体通信の利便性を向上させることができる等、有用である。
【図面の簡単な説明】
【０１３６】
【図１】第１の実施の形態に係る移動体装置の移動位置通知システム及びその移動位置通知方法の一例を示す図である。
【図２】端末装置の構成例を示す図である。
【図３】端末装置の構成例を示す図である。
【図４】端末装置の一例を示す図である。
【図５】緊急発信時の表示画面の推移を示す図である。
【図６】通常時の表示画面の推移を示す図である。
【図７】受信側の表示画面の推移を示す図である。
【図８】発信側の表示画面を示す図である。
【図９】位置情報の取得及び送信の処理手順を示すフローチャートである。
【図１０】受信側の位置情報の受信処理の処理手順を示すフローチャートである。
【図１１】緊急発信時の端末装置とネットワークとの間の処理を示す図である。
【図１２】通常時の端末装置とネットワークとの間の処理を示す図である。
【図１３】着信時のネットワークと端末装置との間の処理を示す図である。
【図１４】端末装置間の位置情報の送受信タイミングを示す図である。
【図１５】位置情報の未送達通知処理を示す図である。
【図１６】第２の実施の形態に係る移動体装置の移動位置通知システム及びその移動位置通知方法の一例を示す図である。
【図１７】第３の実施の形態に係る移動体装置の移動位置通知システム及びその移動位置通知方法の一例を示す図である。
【図１８】位置情報パラメータフィールドの一例を示す図である。
【図１９】パラメータ設定情報の実装例を示す図である。
【図２０】パラメータ設定情報の他の実装例を示す図である。
【図２１】位置情報送達通知パラメータフィールドの一例を示す図である。
【図２２】実施例における緊急発信時の端末装置とネットワークとの間の処理を示す図である。
【図２３】実施例における通常時の端末装置とネットワークとの間の処理を示す図である。
【図２４】実施例における着信時のネットワークと端末装置との間の処理を示す図である。
【図２５】実施例における端末装置間の位置情報の送受信タイミングを示す図である。
【図２６】実施例における位置情報の未送達通知処理を示す図である。
【符号の説明】
【０１３７】
２  移動位置通知システム
４、８  端末装置
６  ネットワーク
１６、２６  表示部
２８  プロセッサ
３８  無線通信部
４０  ＧＰＳ部
４２  加速度センサ部
【図１】
2009200614.tif 000003
【図２】
2009200614.tif 000004
【図３】
2009200614.tif 000005
【図４】
2009200614.tif 000006
【図５】
2009200614.tif 000007
【図６】
2009200614.tif 000008
【図７】
2009200614.tif 000009
【図８】
2009200614.tif 000010
【図９】
2009200614.tif 000011
【図１０】
2009200614.tif 000012
【図１１】
2009200614.tif 000013
【図１２】
2009200614.tif 000014
【図１３】
2009200614.tif 000015
【図１４】
2009200614.tif 000016
【図１５】
2009200614.tif 000017
【図１６】
2009200614.tif 000018
【図１７】
2009200614.tif 000019
【図１８】
2009200614.tif 000020
【図１９】
2009200614.tif 000021
【図２０】
2009200614.tif 000022
【図２１】
2009200614.tif 000023
【図２２】
2009200614.tif 000024
【図２３】
2009200614.tif 000025
【図２４】
2009200614.tif 000026
【図２５】
2009200614.tif 000027
【図２６】
2009200614.tif 000028